(57)【要約】      （修正有）【課題】異なる発光素子を組み合わせて多種の発光色の照明装置の提供。【解決手段】照明装置１００は、p-nジャンクションを伴う第１発光素子１０と第１発光素子１０の周側面を部分的に被覆する第１サイドカバー１１とを有する第１発光体１と、p-nジャンクションを伴う第２発光素子２０と第２発光素子２０の周側面を部分的に被覆する第２サイドカバー２１とを有する第２発光体２と、を有し、第１発光体１と第２発光体２は第１サイドカバー１１と第２サイドカバー２１によって被覆されていない非被覆側面部１０Ｃ，２０Ｃで対向配置される。また、第１サイドカバー１１が、第１発光素子１０の周側面の４分の１以上の面積を被覆する。【選択図】図１
2015022859.tif 000002
【特許請求の範囲】
【請求項１】
p-nジャンクションを伴う第１発光素子と、第１発光素子の周側面を部分的に被覆する第１サイドカバーと、を有する第１発光体と、
p-nジャンクションを伴う第２発光素子と、第２発光素子の周側面を部分的に被覆する第２サイドカバーと、を有する第２発光体と、を有し、
第１発光体と第２発光体は、第１サイドカバーと第２サイドカバーによって被覆されない非被覆側面部において互いに向き合って配置される、照明装置。
【請求項２】
第１発光体と第２発光体は、互いに異なる発光スペクトルの光を出すように構成される、請求項１に記載の照明装置。
【請求項３】
第１サイドカバーは、第１発光素子の周側面の４分の１以上の面積を被覆する、請求項１に記載の照明装置。 
【請求項４】
第２サイドカバーは、第２発光素子の周側面の４分の１以上の面積を被覆する、請求項1に記載の照明装置。
【請求項５】
第１サイドカバーと第２サイドカバーは白色樹脂から成る、請求項１に記載の照明装置。
【請求項６】
白色樹脂は酸化チタン粒子を含む、請求項５に記載の照明装置。
【請求項７】
第１発光体は、さらに、第１発光素子からの光によって励起され得る蛍光体を含む第１光透過層を有し、
第１光透過層は、p-nジャンクションの発光面の上方で第１発光素子の上面を被覆し、第１サイドカバーによって被覆されない非被覆側面部を被覆する、請求項１に記載の照明装置。
【請求項８】
第２発光体は、さらに、第２発光素子からの光によって励起され得る蛍光体を含む第２光透過層を有し、
第２光透過層は、第２発光素子におけるp-nジャンクションの発光面の上方で第２発光素子の上面を被覆し、第２サイドカバーによって被覆されない非被覆側面部を被覆する、請求項1に記載の照明装置。
【請求項９】
第１発光体は、さらに、第１発光素子が電気的に実装される基板と、基板上の第１発光素子からの光によって励起され得る蛍光体を含んで第１発光素子を封止する第１光透過層と、を有し、第１光透過層は基板上に配置されて第１発光素子を基板上に封止し、
第１発光素子の周側面を部分的に被覆する第１サイドカバーが、第１光透過層の周側面の一部に接触して配置され、第１光透過層の周側面を部分的に被覆する、請求項１に記載の照明装置。
【請求項１０】
第２発光体は、さらに、第２発光素子が電気的に実装される基板と、
基板上に配置されて、基板上の第２発光素子を封止する第２光透過層と、を有し、
第２発光素子の周側面を部分的に被覆する第２サイドカバーが、第２光透過層の周側面の一部に接触して配置され、第２光透過層の周側面を部分的に被覆する、請求項９に記載の照明装置。
【請求項１１】
第２光透過層は、第２発光素子からの光によって励起され得る蛍光体を含む、請求項１０に記載の照明装置。
【請求項１２】
第１サイドカバーによって被覆されない非被覆側面部の反対側の位置において、第１サイドカバーは、第１サイドカバーによって被覆されない非被覆部に隣接する位置での第１光透過層よりも基板の上面からの高さが大きい、請求項９に記載の照明装置。 
【請求項１３】
第１発光体は、さらに、第１サイドカバーによって被覆されない非被覆側面部に接触して配置される光拡散層と、を有する、請求項１に記載の照明装置。 
【請求項１４】
光拡散層は反射粒子を含む、請求項１３に記載の照明装置。
【請求項１５】
第１サイドカバーは、第２サイドカバーよりも高さが大きい、請求項１０に記載の照明装置。 
【請求項１６】
第２発光体は、さらに、第２サイドカバーによって被覆されない非被覆側面部に接触して配置される反射粒子を含む光拡散層と、を有する、請求項１に記載の照明装置。
【請求項１７】
第１発光体と第２発光体とから成る第１ペアと、第１発光体と第2発光体とから成る第２ペアが、縦に並んで配置される、請求項１に記載の照明装置。
【請求項１８】
第１発光体と第２発光体とから成る第１ペアが、第１発光体と第２発光体とから成る第２ペアに隣り合って配置される、請求項１に記載の照明装置。
【請求項１９】
第１ペアが第１発光体と第２発光体を含み、第２ペアが第１発光体と第２発光体を含み、第１ペアと第２ペアの第１発光体と第２発光体がエリアに配置されている、請求項１に記載の照明装置。
【請求項２０】
さらに、エリア内に配置された第１ペアの第１発光体と第２発光体および第２ペアの第１発光体と第２発光体の位置よりも内側に位置する第３発光体と、を有する、請求項１９に記載の照明装置。
【請求項２１】
エリア内に配置された複数の発光体と、
複数の発光体のうち第１発光体は、第１発光素子と、第１発光素子の周側面を部分的に被覆する第１サイドカバーで、第１発光素子の周側面の４分の１以上の面積を被覆している第１サイドカバーと、を有する第１発光体と、
複数の発光体のうち第２発光体は、第２発光素子と、第２発光素子の周側面を部分的に被覆する第２サイドカバーで、第２発光素子の周側面の４分の１以上の面積を被覆している第２サイドカバーと、を有する第２発光体と、
複数の発光体のうち、エリア内において第１発光体と第２発光体の位置より内側に位置する第３発光体であって、周側面から放射状に光を出すよう構成されている第３発光体と、を有し、
第１発光体からの光と、第２発光体からの光と、第３発光体からの光が、複数の発光体が配置されたエリアの上方へ向けて出射されるよう構成される、照明装置。
【請求項２２】
第１発光体と、第２発光体と、第３発光体は互いに異なる発光スペクトルの光を出すよう構成された、請求項２０又は請求項２１に記載の照明装置。 
【請求項２３】
第３発光体は周側面から放射状に光を出すよう構成されている、請求項２０に記載の照明装置。
【請求項２４】
第１発光体および第３発光体は、互いに類似する発光スペクトルの光を出すよう構成された、請求項２１に記載の照明装置。 
【請求項２５】
さらに、前記複数の発光体を被覆する光を通すカバーと、複数の発光体の下方に位置し、電流を複数の発光体に供給するためのベースと、を有する、請求項１又は請求項１８に記載の照明装置。
【発明の詳細な説明】
【技術分野】
【０００１】
本発明は照明装置に関連し、また、二つ以上の発光体を含む照明装置に関連する。 
【背景技術】
【０００２】
青色発光ダイオードと蛍光体を含むフィルターとを有する白色発光ダイオード装置と、赤色発光ダイオードとを有する発光ダイオード装置が公開されている。また、青色発光ダイオードと赤色発光ダイオードが基板に実装されて蛍光体を含む透明な樹脂により封止されることが公開されている（特許文献１）。
【０００３】
また、青色発光ダイオードと、緑色発光ダイオードと、青色発光ダイオードからの青色光により励起され得る黄色蛍光体と、緑色発光ダイオードからの緑色光により励起され得る赤色蛍光体と、を有する照明装置が公開されている（特許文献２）。
【先行技術文献】
【特許文献】
【０００４】
【特許文献１】特開２００４−０５５７７２号公報
【特許文献２】特開２００６−２４５４４３号公報
【発明の概要】
【課題を解決するための手段】
【０００５】
本発明の第１の態様では、照明装置は、p-nジャンクションを伴う第１発光素子と第１発光素子の周側面を部分的に被覆する第１サイドカバーとを有する第１発光体と、p-nジャンクションを伴う第２発光素子と第２発光素子の周側面を部分的に被覆する第２サイドカバーとを有する第２発光体と、を有し、第１発光体と第２発光体は第１サイドカバーと第２サイドカバーによって被覆されていない非被覆側面部で対向配置される。
【０００６】
第１発光体と第２発光体が互いに異なるスペクトルの光を出すよう構成されることが、開示されている。
【０００７】
また、第１サイドカバーが、第１発光素子の周側面の面積の４分の１以上を被覆することが開示されている。また、第２サイドカバーが、第２発光素子の周側面の面積の４分の１以上を被覆するものとしても良いことが開示されている。第１サイドカバーと第２サイドカバーが白色樹脂から成るものとしても良いことが開示されている。
【０００８】
第１発光体が、さらに第１発光素子からの光によって励起され得る蛍光体を含む第１光透過層を有し、第１光透過層が第１発光素子におけるp-nジャンクションの発光面の上方で第１発光素子の上面と、第１サイドカバーによって被覆されない非被覆側面部とを被覆することが開示されている。
【０００９】
また、第２発光体は第２発光素子からの光によって励起され得る蛍光体を含む第２光透過層を有してもよいことが開示されている。第２光透過層は、少なくとも、第２発光素子におけるp-nジャンクションの発光面の上方にある第２発光素子の上面と第２サイドカバーによって被覆されない非被覆側面部とを被覆していてもよい。
【００１０】
さらに、第１発光体は、発光素子が電気的に実装される基板と、第１発光素子からの光によって励起され得る蛍光体を含む第１光透過層とを有していてもよいこと、また第１光透過層が基板上に配置されて第１発光素子を封止することが開示されている。第１発光素子の周側面を部分的に被覆する第１サイドカバーは、第１光透過層の周側面の一部に接触して配置され、第１光透過層の周側面を部分的に被覆することが開示されている。
【００１１】
第２発光体は発光素子が電気的に実装される基板と、第２発光素子からの光によって励起され得る蛍光体を含む第２光透過層とを有していてもよいこと、また第２光透過層が基板上に配置されて第２発光素子を封止することが開示されている。第２発光素子の周側面を部分的に被覆する第２サイドカバーは、第２光透過層の周側面の一部に接触して配置され、第２光透過層の周側面を部分的に被覆することが開示されている。
【００１２】
本発明の第２態様では、第１サイドカバーは、第１サイドカバーで被覆されない非被覆側面部と対向する位置で、基板の上面からの高さが、第１サイドカバーによって被覆されない非被覆側面部に隣接する位置での第１光透過層の高さよりも高く設定しても良いことが開示されている。
【００１３】
本発明の第３態様では、第１発光体の第１サイドカバーが、第２発光体の第２サイドカバーよりも高さを高く設定しても良いことが開示されている。
【００１４】
本発明の第４態様では、第１発光体と第２発光体とを有する第１ペアと、第１発光体と第２発光体とを有する第２ペアが、一列に次々に配置されることが開示されている。また、第１ペアと第２ペアが隣り合って配置されることも明示されている。
【００１５】
本発明の第５態様では、照明装置は一つのエリアに配置された複数の発光体を有し、複数の発光体のうちの第１発光体は、第１発光素子と、第１発光素子の周側面を部分的に被覆する第１サイドカバーと、を有し、第１発光体の第１サイドカバーは第１発光素子の周側面の４分の１以上の面積を被覆しており、複数の発光体のうちの第２発光体は、第２発光素子と第２発光素子の周側面を部分的に被覆する第２サイドカバーとを有し、第２発光体の第２サイドカバーは第２発光素子の周側面の４分の１以上の面積を被覆している。
【００１６】
また、照明装置は、さらに、複数の発光体の中に第３発光体を有していてもよく、第３発光体は、そのエリア内で第１発光体と第２発光体の位置よりも内側に位置してもよいことが開示されている。
【００１７】
さらに、第３発光体は、第３発光体の周側面から放射状に光を出すよう構成されていることが開示されている。
【００１８】
第１発光体からの光と、第２発光体からの光と、第３発光体からの光が、複数の発光体が配置されたエリアの上方へ向かうよう構成されることが開示されている。
【００１９】
また、第１発光体と第３発光体が互いに類似する発光スペクトルの光を出すよう構成されることが開示されている。
【図面の簡単な説明】
【００２０】
【図１】本発明の第１実施形態に係る照明装置の上面図である。
【図２】図１で示すII-II線で切り取った、照明装置の第１発光体の断面図である。
【図３】図１で示すIII−III線で切り取った、照明装置の第１発光体と第２発光体の断面図である。
【図４】本発明の第２実施形態に係る照明装置の第１発光体と第２発光体の断面図である。
【図５】本発明の第３実施形態に係る照明装置の上面図である。
【図６】図５で示すVI-VI線で切り取った、照明装置の第１発光体の断面図である。
【図７】図５で示すVII-VII線で切り取った照明装置の断面図である。
【図８】本発明の第４実施形態に係る照明装置の第１発光体の上面図である。
【図９】図８で示すIX-IX線で切り取った照明装置の第１発光体の断面図である。
【図１０】図８で示すX-X線で切り取った照明装置の断面図である。
【図１１】照明装置の第５実施形態に係る照明装置の上面図である。
【図１２】図１１で示すXII-XII線で切り取った照明装置の断面図である。
【図１３】図１１で示すXIII-XIII線で切り取った照明装置の断面図である。
【図１４】２個の発光体の配置を示す。
【図１５】本発明に係る照明装置の第６実施形態として４個の発光体の配置を示す。
【図１６】本発明に係る照明装置の第７実施形態として９個の発光体の配置を示す。
【図１７】２個の発光体の配置を示す。
【図１８】本発明に係る照明装置の第８実施形態として４個の発光体の配置を示す。
【図１９】本発明に係る照明装置の第９実施形態として９個の発光体の配置を示す。
【図２０】本発明の第１０実施形態に係る照明装置の上面図である。
【図２１】本発明の第１１実施形態に係る照明装置の上面図である。
【図２２】本発明の第１２実施形態に係る照明装置の正面図である。
【図２３】本発明の第１３実施形態に係る照明装置の正面図である。
【図２４】図２３で示す照明装置で、光が通るカバーを外した照明装置の上面図を示す。
【発明を実施するための形態】
【００２１】
本明細書に使用される「および／もしくは」という言葉は、関連して記載された項目の一つ、もしくは一つ以上の組み合わせのうちのいずれか、もしくはそれらの組み合わせの全て、を含んでいる。
【００２２】
本明細書において使用される言葉は、それぞれの実施形態を描写する目的のために使用されるのであって、本発明の限定を意図するものではない。本明細書において、「一つの」、「その」のような単数の形で記載されている場合であっても、複数の形である場合も含むことが意図されているが、そうでないことが記載内容から明らかに読み取れる場合は除く。さらに、「〜から成る」「〜を含む」および／もしくは「〜を有する」という言葉が本明細書にて使用される場合、記載された特徴、整数、構成要素、構成要素の部分、および／もしくはグループの存在が記載される場合、それらのうち一つ以上の他の特徴、整数、構成要素、構成要素の部分の存在や追加について排除するものとはならないことが理解されるであろう。
【００２３】
本明細書において用いられる「〜の下方に」や「〜の上方に」、「上の」や「下の」、「上方へ」や「下方へ」のような相対語は、図に示される、ある要素、部分、面、エリアもしくは方向と、別の構成要素、部分、面、エリアもしくは方向との関係を描写するものとして使用されている場合がある。これらの言葉は、図に示される方向に加えて、装置の異なる向きを含むことを意図されていることが理解されるであろう。
【００２４】
本発明の実施形態を示す添付の図面を参照して、以下に、本発明の実施形態をより詳細に説明する。しかしながら、本発明は多くの異なる形態において実施され得るので、ここに記載される実施形態に限定されるものとして解釈されるべきではない。むしろ、これらの実施形態は、本開示を詳細で完全なものとし、本発明の範囲を当業者に十分に伝えるために提示されるものである。
【００２５】
本発明の実施形態は、ここに含まれる図面を参照して説明される。同じおよび／もしくは類似の参照番号は、同じおよび／もしくは類似の構造を参照する。図面は、本来概略的なものであることに留意されるべきである。
【００２６】
図１は本発明の第１実施形態に係る照明装置100の上面図である。 照明装置100は、p-nジャンクション10gを伴う第１発光素子10と、第１発光素子10の周側面10c−10fを部分的に被覆する第１サイドカバー11とを有する第１発光体1と、p-nジャンクション20gを伴う第２発光素子20と、第２発光素子20の周側面20c-20fを部分的に被覆する第２サイドカバー21とを有する第２発光体2と、を有している。
【００２７】
第１発光体1と第２発光体2は、第１サイドカバー11と第２サイドカバー21によって被覆されない非被覆側面部10c,20cにおいて互いに向き合っている。本実施形態では、第１発光体1の非被覆側面部10cと第２発光体2の非被覆側面部20cは互いに対向して隣設される。
【００２８】
したがって、第１サイドカバー11を伴う第１発光体1からの光と第２サイドカバー21を伴う第２発光体2からの光は、図3の矢印Aとして示される方向に向かう上向きの光として効率よく混合され得る。第１発光素子10のp-nジャンクション10gの発光面10gaは、第１発光素子10の上面10aに対向する。第２発光素子20のp-nジャンクション20gの発光面20gaは、第２発光素子20の上面20aに対向する。本実施形態では、第１発光素子10のpコンタクト電極12とnコンタクト電極13は、第１発光素子10の下面10bに位置する。第１発光素子10の上面10aと下面10bは、互いに反対側にある。第１発光素子10の周側面10c-10fは、第１発光素子10の上面10aのエッジと下面10bのエッジとの間に延びている。また、第２発光素子20のpコンタクト電極22とnコンタクト電極23は、第２発光素子20の下面20bに位置する。第２発光素子20の周側面20c-20fは、第２発光素子20の上面20aのエッジと下面20bのエッジとの間に延びている。
【００２９】
第１サイドカバー11は、第１発光素子10の周側面10c-10fの４分の１以上の面積を被覆している。本実施形態では、第１サイドカバー11は、第１発光素子10の周側面10c-10fの４分の３以上の面積を被覆している。詳細には、第１発光体1の第１発光素子10は周側面10c-10fとして４つの側面10c,10d,10e,10fを有しており、４つの側面10c,10d,10e,10fのうち３つの側面10d,10e,10fは、第１サイドカバー11によって被覆されている。本実施形態では、第１サイドカバー11は第１発光素子10に直接配置されている。
【００３０】
また、第２サイドカバー21は、第２発光素子20の周側面20c-20fの４分の１以上の面積を被覆する。本実施形態では、第２サイドカバー21は、第２発光素子20の周側面の４分の３を被覆する。詳細には、第２発光体2の第２発光素子20は、周側面20c-20fとして４つの側面20c,20d,20e,20fを有し、３つの側面20d,20e,20fが第２サイドカバー21により被覆されている。本実施形態では、第２サイドカバー21は第２発光素子20に直接配置されている。
【００３１】
本実施形態では、第１発光体1の４つの側面10c,10d,10e,10fのうちの非被覆側面部として第１側面10cと、第２発光体2の４つの側面20c,20d,20e,20fのうちの非被覆側面部として第１側面20cとが、互いに向き合うよう配置されている。本実施形態における第１発光体1は、第１発光素子10の上面10aおよび非被覆側面部10cから光を出すよう構成されている。
本実施形態における第２発光体2は、第２発光素子20の上面20aおよび非被覆側面部20cから光を出すよう構成されている。
【００３２】
第１発光体1と第２発光体2は、互いに異なるスペクトルの光を出すように構成されていてもよい。例えば、発光スペクトルの範囲が630nm-780nmの光であれば赤い光となるように見えて、発光スペクトルの範囲が590nm-630nmの光は赤黄（オレンジ）の光となるように見えて、発光スペクトルの範囲が560nm-590nmの光は黄色の光となるように見えるかもしれない。
【００３３】
また、発光スペクトルの範囲が490nm-560nmの光であれば緑色光となるように見えて、発光スペクトルの範囲が450nm-490nmの光は青色光となるように見えて、発光スペクトルの範囲が400nm-450nmの光は近紫外光としてもよい。発光スペクトルの範囲が10nm-400nmの光は紫外線として分類してもよい。
【００３４】
例えば、青色光と黄色光の混合した光を出すように構成された第１発光体は、第２発光体と共に使うことが出来る。例えば、紫外光と赤色光と緑色光と青色光の混合した光を出すよう構成された第２発光体が用いられても良い。第１発光体と第２発光体の組み合わせはこの一例に限定されるものではない。光の演色性は一つ以上の蛍光体および／もしくは一つ以上の発光素子との組み合わせで高められおよび／もしくは改善され得る。
【００３５】
第１サイドカバー11と第２サイドカバー22とを含むサイドカバーは光を遮蔽および／もしくは反射するよう構成される。サイドカバーは白色樹脂から成るものとしても良い。例えば、サイドカバーは酸化チタン(TiO2)粒子を含むシリコーン樹脂から成るものとしても良い。サイドカバーは不透明であっても良い。
【００３６】
サイドカバーは発光体に直接付けることが可能であるので、配置される発光体の数が増える場合および／もしくは変化する場合に、融通性に富む。また、混色光のための２個以上の発光体の組み合わせおよび／もしくは配置を変更する必要がある場合などにも融通性に富む。さらに、ペアや、グループ内、および／もしくは発光体が配置されるエリア内において複数の発光体の位置を考慮して、発光体のサイドカバーの大きさおよび／もしくは高さを決めることも出来る。
【００３７】
図２は、図１で示すII-II線で切り取った、照明装置の第１発光体の断面図である。本実施形態では、第１発光素子10は、ベアチップとして第１発光素子10の下面にpコンタクト電極12およびnコンタクト電極を有するダイオード(LED)素子であっても良い。 ベアチップはウェハーレベルのチップであっても良い。第１発光体１の第１発光素子10の下面10bに隣接する位置にあるｐコンタクト電極12とnコンタクト電極13は、バンプおよび／もしくは半田を介して、（図１や図２で図示されない）基板および／もしくはマザーボードに電気的に接続されてもよい。
【００３８】
図３は、図１で示すIII-III線で切り取った、照明装置100の第１発光体1と第２発光体2の断面図である。
【００３９】
図４は、本発明の第２実施形態に係る照明装置の第１発光体と第２発光体の断面図である。本発明の第２実施形態は、第１実施形態のバリエーションである。第１実施形態とは異なり、第２実施形態に係る照明装置101の第１発光体1は、蛍光体3を含む第１光透過層14を有する。第１光透過層14に含まれる蛍光体3は、第１発光素子10からの光によって励起され得る。本実施形態において、第１光透過層14は、第１発光素子10の上面10aを被覆し、p-nジャンクション10gの発光面10gaの上方に位置する。第１光透過層14は、また、第１サイドカバー11によって被覆されない非被覆側面部10cを被覆する。
【００４０】
例えば、第１発光体1の第１発光素子10は発光スペクトルの範囲が450nm-490nmの青色発光素子であっても良いし、第２発光体2の第２発光素子が例えば、発光スペクトルの範囲が490nm-560nmの緑色発光素子であっても良い。第１光透過層14に含まれる蛍光体3は、青色発光素子10からの青色光によって励起されて、例えば発光スペクトルの範囲が560nm-590nmの黄色光を出すYAG(イットリウム・アルミニウム・ガーネット)蛍光体であっても良い。この場合、照明装置101からの光は混合光として白色光となるように見え得る。
【００４１】
さらに、第１発光体1は例えば発光スペクトルの範囲が400nm-450nmの近紫外の発光素子であっても良い。第１光透過層14に含まれる蛍光体3は、励起されて発光スペクトルの範囲が630nm-780nmの赤色光を出す赤色蛍光体と、励起されて発光スペクトルの範囲が490nm-560nmの緑色光を出す緑色蛍光体と、励起されて発光スペクトルの範囲が450nm-490nmの青色光を出す青色蛍光体のうちの少なくとも一つを含んでいても良い。
【００４２】
また、第２実施形態に係る照明装置101の第２発光体2は、蛍光体4を含む第２光透過層24を有していても良い。例えば、第２発光体2は発光スペクトルの範囲が450nm-490nmの青色光を出し得る青色発光素子であっても良いし、蛍光体4は励起されて発光スペクトルの範囲が560nm-590nmの黄色光を出し得る黄色蛍光体であっても良い。この場合、照明装置からの光の演色性は、互いに異なる発光スペクトルの光を出し得る２個の蛍光体と互いに異なる発光スペクトルの光を出し得る２個の発光体との組み合わせで、高められおよび／もしくは改善され得る。
【００４３】
さらに、発光スペクトルの範囲が互いに異なる２個以上の発光体および／もしくは複数の発光体のうち互いに類似する発光スペクトル範囲の光を出すように構成された２個以上の発光体との組み合わせで、光の演色性が高められおよび／もしくは改善され得る。このように発光素子と蛍光体の様々な組み合わせが可能である。
【００４４】
図５は、本発明の第３実施形態に係る照明装置の上面図を示す。照明装置200は、p-nジャンクション10gを伴う第１発光素子10’と、第１発光素子10’の周側面10’c-10’fを部分的に被覆する第１サイドカバー11’と、を有する第１発光体1’と、p-nジャンクション20’gを伴う第２発光素子20’と、第２発光素子20’の周側面20’c-20’fを部分的に被覆する第２サイドカバー21’と、を有する第２発光体2’と、を有する。第１発光体1’と第２発光体2’は、第１サイドカバー11’と第２サイドカバー21’とによって被覆されない非被覆側面部10’c,20’cにおいて互いに向き合う位置にある。
【００４５】
本実施形態では、第１光透過層14’によって第１発光素子10’から離間された第１サイドカバー11’は、第１発光素子10’の周側面10’c-10’fを部分的に被覆している。また、第２光透過層24’によって第２発光体20’から離間された第２サイドカバーは、第２発光素子10’の周辺側面20’c-20’fを部分的に被覆している。
【００４６】
図６は、図５で示すVI-VI線で切り取った、照明装置の第１発光体の断面図であり、図７は、図５で示すVII-VII線で切り取った照明装置の断面図である。第３実施形態において、第１発光体1’はさらに、第１発光素子10’が電気的に実装される基板30を有し、第２発光体2’はさらに、第２発光素子20’が電気的に実装される基板30’を有している。基板30(30’)は一対の電極として第１電極31(31’)と第２電極32(32’)を有していても良い。第１電極31(31’)は、基板30(30’)の上面に配置された第１上電極31a(31a’)と、基板30(30’)の下面に配置された第１下電極31b(31b’)を有していても良い。第１上電極31a(31a’)と第１下電極31b(31b’)は、基板30(30’)内に配置された第１スルーホール31c(31c’)によって電気的に接続されていても良い。また、第２電極32(32’)は、基板30(30’)の上面に配置された第２上電極32a(32a’)と、基板30(30’)の下面に配置された第２下電極32b(32b’)とを有していても良い。第２上電極32a(32a’)および第２下電極32b(32b’)は、基板30(30’)内に配置された第２スルーホール32c(32c’)によって電気的に接続されていても良い。図６は、第１発光体の断面図を示し、第２発光体の断面図は、上記のように、第１発光体が有するのと同じ電気的構造を有することが出来るので、第２発光体の断面図は省略されている。
【００４７】
本実施形態において、第１発光素子10’は、第１発光素子10’の上面10’aに隣接されるｐコンタクト電極とnコンタクト電極を有している。第１発光素子10’は第１上電極31a上に配置されても良い。第１発光素子10’のpコンタクト電極は、金属ワイヤー15によって第１上電極31aに電気的に接続することが出来る。本実施形態では、第２発光素子20’は、第２発光素子20’の上面20’aに隣接されるpコンタクト電極とnコンタクト電極とを有している。第２発光素子20’は第１上電極31a’上に配置されていても良い。第２発光素子20’のpコンタクト電極は、金属ワイヤー17によって第１上電極31a’に電気的に接続することが可能で、第２発光素子20’のnコンタクト電極は、金属ワイヤー18によって第２上電極32a’に電気的に接続することが可能である。もちろん、pコンタクト電極とnコンタクト電極は発光素子10’(20’)の下面に隣接する位置とすることも可能で、金属ワイヤー15,16(17,18)の代わりに、バンプおよび／もしくは半田によって、基板30(30’)上に配置された第１上電極および第２上電極31a,32a(31a’, 32a’)に電気的に接続することも可能である。
【００４８】
本実施形態では、第１光透過層14’によって第１発光素子10’から離間された第１サイドカバー11’は、第１発光素子10’の周側面10’c-10’fを部分的に被覆する。第１サイドカバー11’は、第１発光素子10’の周側面10’c-10’fの４分の１以上の面積を被覆する。詳細には、照明装置200の第１発光体1’は、第１発光素子10’からの光によって励起され得る蛍光体3を含む第１光透過層14’を有する。第１光透過層14は基板30上に配置されて第１発光素子10’を封止する。本実施形態では、第１発光素子10の周側面10’c-10’fを部分的に被覆する第１サイドカバー11’は、第１光透過層14’の周側面14’c-14’fの一部に接触して配置され、第１サイドカバー11’によって被覆されない非被覆部14cを伴って、第１光透過層14の周側面14’c-14’fを部分的に被覆する。第１サイドカバー11’は、第１サイドカバー11’によって被覆されない非被覆側面部14’cを伴って、周側面14’c-14’fのうちの三側面を被覆するよう配置される。第１発光素子10’の非被覆側面部10’cは、第１光透過層14’の非被覆側面部14’cに面する。
【００４９】
また、第２発光素子20’の周側面20’c-20’fを部分的に被覆する第２光透過層24’によって、第２サイドカバー21’は第２発光体20’から離間されている。第２サイドカバー21’は、第２発光素子20’の周側面20’c-20’fの４分の１以上の面積を被覆する。詳細には、照明装置200の第２発光体2’は、第２発光素子20’からの光によって励起され得る蛍光体4を含む第２光透過層24’を有する。第２光透過層24’は、基板30’上に配置されて第２発光素子20’を封止する。本実施形態では、第２発光素子20’の周側面20’c-20’fを部分的に被覆する第２サイドカバー21’は、第２光透過層24’の周側面24’c-24’fの一部に接触して配置され、第２光透過層24’の周側面24’c-24’fを部分的に被覆する。第２サイドカバー21’は、第２サイドカバー21’によって被覆されない非被覆側面部24’cを伴って、周側面24’c-24’fのうち三側面を被覆するよう配置される。第２発光素子20’の非被覆側面部20’cは、第２光透過層24’の非被覆部24’cに面して配置される。
【００５０】
第１サイドカバー11’および第２サイドカバー22’を含むサイドカバーは、光を遮蔽および／もしくは反射するよう構成される。サイドカバーは白色樹脂からなってもよい。例えば、サイドカバーは酸化チタン(TiO2)粒子を含むシリコーン樹脂からなってもよい。サイドカバーは、不透明であってもよい。
【００５１】
図８は、本発明の第４実施形態に係る照明装置の上面図を示す。図９は、図８で示すIX-IX線で切り取った照明装置の第１発光体の断面図を示し、図１０は、図８で示すX-X線で切り取った照明装置の断面図を示す。
【００５２】
第３実施形態とは異なり、照明装置300の第１発光体1’’は第１光拡散層40を有し、照明装置300の第２発光体2’’は第２光拡散層50を有している。第１光拡散層40は、第１光透過層14’の非被覆側面部14’c上に配置される。第２光拡散層50は、第２光透過層24’の非被覆粗面部24’c上に配置される。第１光拡散層40および第２光拡散層50を含む拡散層は光透過樹脂から成る。拡散層は反射粒子を含む。反射粒子は二酸化ケイ素(SiO2)から成っていてもよい。この場合、サイドカバーによって被覆されない非被覆部において光拡散層を通って出射された光は効率よく拡散されて、複数の発光体からの互いに異なる発光スペクトル範囲の光は効率よく混合され得る。
【００５３】
また、照明装置300は、第１サイドカバー11’および第２サイドカバー21’によって被覆されないが、第１拡散層40と第２拡散層50によって被覆される非被覆側面部14’c,24’cにおいて互いに面して配置される発光体1’’,2’’の上方に配置される上拡散カバーを有していてもよい。また、照明装置300内に３個以上の発光体を配置することも可能である。複数の発光体の上方に位置して、複数の発光体を上方から覆う上拡散カバーが設けられる場合、複数の発光体の互いに異なる発光スペクトル範囲の光の混色効果を高めることが可能である。
【００５４】
上記の光拡散層および／もしくは上拡散カバーを除いて発光体と基板の間の電気接続や蛍光体を含む光透過層などのようなその他の構成は、本発明に係る照明装置の第３実施形態における記載を参照することが可能である。
【００５５】
図１１は、本発明に係る照明装置の第５実施形態に係る照明装置の上面図である。図１２は、図１１で示すXII-XII線で切り取った照明装置の断面図である。また、図１３は、図１１で示すXIII-XIII線で切り取った照明装置の断面図である。
【００５６】
第５実施形態では、第４実施形態に類似して、照明装置400の第１発光体1’’’は第１光透過カバー40’を有していてもよく、照明装置400の第２発光体2’’’は第２光透過カバー50’を有していてもよい。第１光透過カバー40’は、第１サイドカバー11’’によって被覆されない非被覆部14’c上に配置される。図１３によって示されるように、第１サイドカバー11’’によって被覆されない非被覆側面部14’cと反対側の位置にある第１サイドカバー11’’は、基板30の上面30aからの高さが、第１側面部で被覆されない非被覆側面部14’cに隣接する位置で、第１光透過層よりも高さが高くされていてもよい。
【００５７】
本実施形態において、第２光透過カバー50’は、第２サイドカバー21’’によって被覆されない非被覆側面部24’cに配置される。第２サイドカバー21’’によって覆われない非被覆側面部24’cの反対側に位置する第２サイドカバー50’は、第２サイドカバー21’’によって覆われない非被覆側面部24’cに隣接される位置にある第２光透過層24’よりも基板30’の上面30’aからの高さが高くされていてもよい。
【００５８】
この場合、第１発光体1’’と第２発光体2’’から出射されて第１サイドカバー11’’と第２サイドカバー21’’に向かう光は、第１サイドカバー11’’と第２サイドカバー21’’によって、複数の発光体が配置されているその内側方向へと光を反射させることも可能であり、および／もしくは第１サイドカバー11’’と第２サイドカバー21’’によって遮光させることも可能である。 よって、本発明の第１実施形態から第４実施形態に係る照明装置と比較して、（図１３の矢印Aに示される）上方向に、より狭指向の配光が期待出来る。
【００５９】
さらに、混合させる光の割合を変えるために、第１サイドカバー11’’と第２サイドカバー21’’の高さに違いを設けることも可能である。例えば、第１発光体1’’が、第２発光体2’’の発光スペクトル範囲の光よりも多く求められる発光スペクトル範囲の光を出し得る場合、第１発光体1’’の第１サイドカバー11’’は、第２発光体2’’の第２サイドカバー21’’よりも高く設定することが出来る。この場合、第１サイドカバー11’よりも低い第２サイドカバー21’’によって上方に向かう第２発光体2’’からの光よりも、第１発光体1’’からの光は、第１サイドカバー11’’によってより上方に向けられることが可能である。第１サイドカバー11’’は、第１発光素子10’の周側面の４分の１以上の面積を覆う。第２サイドカバー21’’は、第２発光素子20’の周側面の４分の１以上の面積を覆う。第１サイドカバー11’’と第２サイドカバー21’’は白色樹脂から成るものとしてもよい。例えば、第１サイドカバー11’’と第２サイドカバー21’’は、酸化チタン(TiO2)粒子を含むシリコーン樹脂から成るものとしてもよい。第１サイドカバー11’’および第２サイドカバー21’’は不透明であってもよい。
【００６０】
図１４、図１５および図１６は、複数の発光体の配置例を示す。
図１４は、２個の発光体の配置例を示す。第１サイドカバー11は、第１発光素子10の３つの側面（第１側面10d、第２側面10eおよび第３側面10f）を覆う。第２サイドカバー21は、第２発光素子20の３つの側面（第１側面20d、第２側面20eおよび第３側面20f）を覆う。第１発光体1の第１サイドカバー11によって被覆されない第４側面10cは、第２発光体の第２サイドカバー21によって被覆されない第４側面20cと対向する。本発明に係る第１実施形態にて先に開示されたように、照明装置100は、第１発光素子10の周側面のうち３つの側面に接触して配置される第１サイドカバー11を有する。第２サイドカバー21は、第２発光素子20の周側面のうち３つの側面に接触して配置される。
【００６１】
図１５は、本発明に係る照明装置の第６実施形態として、４個の発光体の配置例を示す。照明装置500は、p-nジャンクションを伴う第１発光素子と第１発光素子10の周側面を部分的に覆う第１サイドカバー111とを有する第１発光体1aと、p-nジャンクションを伴う第２発光素子20と第２発光素子20の周側面を部分的に覆う第２サイドカバー121とを有する第２発光体2aと、を有する。第１発光体1aと第２発光体2aは、互いに異なるスペクトル範囲の光を出すように構成され、第１サイドカバー111と第２サイドカバー121によって被覆されない非被覆側面部10c、20cで互いに対向して隣り合う位置にある。
【００６２】
本実施形態における照明装置500は、さらに、p-nジャンクションを伴う第３発光素子10と第３発光素子10の周側面を部分的に覆う第３サイドカバー111とを有する第３発光体1a’と、p-nジャンクションを伴う第４発光素子20と第４発光素子20の周側面を部分的に覆う第４サイドカバー121とを有する第４発光体2a’とを有する。第１発光体1aの第１サイドカバー111は、第１発光素子10の周側面の４分の１以上の面積を覆う。第２発光体2aの第２サイドカバー121は、第２発光素子20の周側面の４分の１以上の面積を覆う。第３発光体1a’の第３サイドカバー111は、第３発光素子10の周側面の４分の１以上の面積を覆う。第４発光体2a’の第４サイドカバー121は、第４発光素子20の周側面の４分の１以上の面積を覆う。
【００６３】
詳細には、第１サイドカバー111は、第１発光体1aの第１発光素子10の２側面10e、10dを覆い、第２サイドカバー121は第２発光体2aの第２発光素子20の２側面20e,20dを覆い、第３カバー111は、第３発光体1a’の第３発光素子10の２側面10e、10dを覆い、第４カバー121は、第４発光素子20の２側面20e,20dを覆う。
【００６４】
第１発光体1a、第２発光体2a、第３発光体1a’および第４発光体2a’は、非被覆側面部10c,10f,20c,20fで互いに対向するように配置される。
【００６５】
互いに斜めで対向配置された第１発光体1aと第３発光体1a’は、第１の発光スペクトル範囲の光、例えば青色光を出すよう構成されてもよい。互いに斜めで対向配置された第２発光体2aおよび第４発光体2a’は、第２の発光スペクトル範囲の光、例えば赤色光を出すよう構成されてもよい。この場合には、互いに異なる発光スペクトル範囲の光の混色効果を得ることが出来る。
【００６６】
また、第１発光体、第２発光体、第３発光体および第４発光体は、互いに異なる発光スペクトル範囲の光を出すよう構成することも出来る。
【００６７】
さらに、第４実施形態で説明したように、互いに異なる発光スペクトル範囲の光を混合するために、光拡散層を発光素子の非被覆側面部に配置することも可能である。
【００６８】
また、複数の発光体を、細長い形状、正方形、長方形、もしくは円形と成り得るエリアに配置することが可能である。照明装置は、サイドカバーを持たない一つ以上の発光体を有していてもよい。照明装置は、エリアに配置された複数の発光体を有し、第１発光体、第２発光体および第３発光体を有する。複数の発光体のうち、第１発光体は、第１発光素子と第１発光素子の周側面を部分的に覆う第１サイドカバーとを有し、第１発光体の第１サイドカバーは、第１発光素子の周側面の４分の１以上の面積を覆う。複数の発光体のうち、第２発光体は、第２発光素子と第２発光素子の周側面を部分的に覆う第２サイドカバーとを有し、第２発光体の第２サイドカバーは、第２発光素子の周側面の４分の１以上の面積を覆う。複数の発光体のうち、第３発光体は、エリア内の第１発光体と第２発光体の位置よりも内側に位置し、第３発光体は周側面から放射状に光を出すよう構成される。この場合、第３発光体は周側面の全面と上面から光を出すよう構成される。第１発光体からの光と、第２発光体からの光と、第３発光体からの光は、第１サイドカバーと第２サイドカバーを含むサイドカバーによって、複数の発光体が配置されたエリアの上方に向かうよう構成される。さらに、エリアには第４の発光体もしくはそれ以上の数の発光体を配置することも可能である。
【００６９】
図１６は、本発明に係る照明装置の第７実施形態として９つの発光体の配置を示す。照明装置600は、p-nジャンクションを伴う第１発光素子10と第１発光素子10の周側面を部分的に覆う第１サイドカバー111とを有する第１発光体1aと、p-nジャンクションを伴う第２発光素子20と第２発光素子20の周側面を部分的に覆う第２サイドカバー121’とを有する第２発光体2bとを有する。第１発光体1aおよび第２発光体2bは、互いに異なる発光スペクトル範囲の光を出すように構成され、第１サイドカバー111および第２サイドカバー121’によって被覆されない非被覆側面部10c,20cで互いに対向するよう隣り合う位置にある。第１サイドカバー111は、第１発光素子10の周側面10c-10fのうちの２側面10e,10dを覆う。
【００７０】
本実施形態における第２発光体2bの第２サイドカバー121’は、第２発光素子20の周側面20c-20fのうち１つの側面20dを覆う。照明装置600は、エリアの四隅に配置された４個の第１発光体1a、1a’、1a’’および1a’’’を有する。また、照明装置600は４個の第２発光体2b、2b’、2b’’および2b’’’を有し、それぞれは複数の第１発光体1a,1a’,1a’’および1a’’’のうちの２個の間に配置される。さらに、照明装置600は、複数の第１発光体1a、1a’、1a’’、1a’’’と、複数の第２発光体2b、2b’、2b’’、2b’’’の位置よりも内側に位置する第３発光体1cを有する。サイドカバーのない第３発光体1cは、第３発光体1cの上面10aだけでなく、周側面10c、10d、10e、10fから放射状に光を出すよう構成される。
【００７１】
第１発光体1a、1a’、1a’’、1a’’’の第１サイドカバー111と、第２発光体2b、2b’、2b’’、2b’’’の第２サイドカバー121’は、照明装置600のエリアを取り囲む位置にある。第１発光体からの光と、第２発光体からの光と、第３発光体からの光は、複数の発光体のサイドカバーによって、発光体が配置されるエリア上方に指向させることが可能である。この場合、第１サイドカバー111を有する第１発光体1a、1a’、1a’’、1a’’’から出射される光と、第２サイドカバー121’を有する第２発光体2b、2b’、2b’’、2b’’’から出射される光と、サイドカバーのない第３発光体から出射される光が上方に向かう光として効率よく混色され得る。
【００７２】
図１６は、上方からの照明装置600を示す。エリアの中心に位置する第３発光体1cは、第１発光体1a、1a’、1a’’、1a’’’と同一および／もしくは類似の発光スペクトル範囲の光を出すものとしてもよい。ここで「同一」という言葉は、第１発光体と第３発光体が同じ発光スペクトル範囲内の光を出すように構成される場合を含む。ここで「類似の」という言葉は、第１発光体と第３発光体とが同一の発光スペクトル範囲内の光を出すよう構成され、かつ第１発光体と第３発光体とが互いに異なる発光スペクトル範囲の光についても出射することが出来る場合を含む。
【００７３】
また、エリアの中心に位置する第３発光体1cは、第２発光体2b,2b’,2b’’および2b’’’と同じおよび／もしくは類似の発光スペクトル範囲の光を出すものとすることも可能である。さらに、第３発光体1cは、第１発光体の発光スペクトル範囲と異なる発光スペクトル範囲の光を出すようにすることも可能であるし、また第２発光体の発光スペクトル範囲とは異なる発光スペクトル範囲の光を出すようにすることも可能である。
【００７４】
図１７は、図５で示す照明装置200と同様に２個の発光体の配置を示す。
図１７に示される照明装置200’は、図５−１３を参照する実施形態で説明された一つ以上の構造を有する発光体を含むことも可能であり、そのため、参照番号1’、1’’、もしくは1’’’がここでは付けられている。第１発光素子10’の周側面10’c-10’fを部分的に覆う第１サイドカバー11’もしくは11’’は、第１光透過層14の周側面10’c-10’fの一部に接触して配置され、第１光透過層14の周側面を部分的に覆う。
【００７５】
さらに、図１７で示される照明装置200’は、第２発光素子が電気的に実装された(図１７には図示されていないが図７に図示される)基板30’と、基板30’上に配置されて第２発光素子を封止する第２光透過層24’と、を含む第２発光体2’、2’’もしくは2’’’を有する。
【００７６】
第２発光体は、図５−１３を参照する実施形態において説明された一つ以上の構造を有ることも可能であり、そのため、参照番号2’、2’’、もしくは2’’’がここでは付けられている。
【００７７】
第２発光素子20の周側面20c-20fを部分的に覆う第２サイドカバー21’もしくは21’’は、第２光透過層24の周側面の一部に接触して配置され、第２光透過層24の周側面を部分的に覆う。図１７で示される照明装置200’は、さらに、第１サイドカバー11’もしくは11’’によって被覆されない非被覆側面部10cに接触して配置される光拡散層40もしくは40’を有する。また、照明装置200’は、第２サイドカバー21’もしくは21’’によって被覆されない非被覆側面部20cと接触して配置される光拡散層50もしくは50’を有していてもよい。
【００７８】
図１１−１３で示される第５実施形態において配置されていたように、第１サイドカバー11’’は、基板30の上面からの高さが第１光透過カバー40よりも高くても良い。また、第２サイドカバー21’’は、基板30’の上面からの高さが第２光透過カバー50’よりも高くても良い。
【００７９】
図１８は、照明装置の第８実施形態として４個の発光体の配置を示し、図１９は、本発明に係る照明装置の第９実施形態として９個の発光体の配置を示す。
【００８０】
図１７の配置は図１４の配置に似ており、図１８の配置は図１５の配置に似ており、図１９の配置は図１６の配置に似ている。図１４−図１６の配置と図１７−図１９の配置の間にある主な違いとしては、サイドカバーが発光素子に直接配置されているか（図１４−図１６で示すように）いないか（図１７−図１９で示すように）である。
【００８１】
図１８は、本発明に係る照明装置の第８実施形態として４個の発光体の配置例を示す。照明装置700は、p-nジャンクションを伴う第１発光素子10’を有する第１発光体1’a、1’’aもしくは1’’’aと第１発光素子10’の周側面を部分的に被覆する第１サイドカバー11’もしくは11’’とを有する第１発光体1’a、1’’a、もしくは1’’’aと、p-nジャンクションを伴う第２発光素子20’と第２発光素子20’の周側面を部分的に被覆する第２サイドカバー21’もしくは21’’とを有する第２発光体2’a、2’’aもしくは2’’’とを有している。第１発光体1’a、1’’a、もしくは1’’aと第２発光体2’a、2’’a、もしくは2’’’aとは、互いに異なる発光スペクトル範囲の光を出すよう構成されて、第１サイドカバー11’もしくは11’’と、第２サイドカバー21’もしくは21’’によって被覆されない非被覆側面部10’c、20’cにおいて互いに対向する位置で隣設される。本実施形態では、先に述べたように、光拡散層40もしくは40’は、非被覆側面部10’cに配置されてもよいし、光拡散層50もしくは50’は、非被覆側面部20’cに配置されてもよい。
【００８２】
本実施形態における照明装置700は、p-nジャンクションを伴う第３発光素子10’と第３発光素子10’の周側面を部分的に被覆する第３サイドカバー11’もしくは11’’とを有する第３発光体1’a’、1’’a’もしくは1’’’a’と、p-nジャンクションを伴う第４発光素子20’と第４発光素子20’の周側面を部分的に被覆する第４サイドカバー21’もしくは21’’とをさらに有している。
【００８３】
第１発光素子10’の周側面10’c-10’fを部分的に被覆する第１サイドカバー11’もしくは第１サイドカバー11’’は、第１光透過層14の周側面10’c-10’fの一部に接触して配置されて、第１光透過層14の周側面を部分的に被覆する。
【００８４】
第２発光素子20’の周側面20’c-20’fを部分的に被覆する第２サイドカバー21’もしくは第２サイドカバー21’’は、第２光透過層24の周側面20’c-20’fの一部に接触して配置されて、第２光透過層24の周側面を部分的に被覆する。
【００８５】
第１発光体1’a、 1’’a
もしくは1’’’aと、第２発光体2’a、2’’aもしくは2’’’aと、第３発光体1’a’, 1’’a’もしくは1’’’a’と、第４発光体2’a’、2’’a’もしくは2’’’a’とは、非被覆側面部10’c、10’f、20’c、20’fにおいて互いに対向して配置されている。
【００８６】
第１発光体と第３発光体とが互いに類似する発光スペクトル範囲の光を出すよう構成してもよい。斜めに対向して配置された、第１発光体1’a、1’’aもしくは1’’’aと第３発光体1’a’、1’’a’もしくは1’’’a’とは、第１スペクトル範囲内の光、例えば青色光を出すよう構成されてもよい。ここで、「類似」のという言葉は、第１発光体と第３発光体とが同じ発光スペクトル範囲の光を出すよう構成されて、かつ互いに異なる発光スペクトル範囲の光も出すことが出来る場合を含み、例えば、第１発光体が、励起されて黄色光を出し得る蛍光体を有し、第３発光体が、励起されて赤色光を出し得る蛍光体を有するような場合を含む。
【００８７】
また、第３発光体と第４発光体とが互いに類似する発光スペクトル範囲の光を出すよう構成してもよい。斜めに対向して配置された、第２発光体2’a、2’’aもしくは2’’’aと第４発光体2’a’、2’’a’もしくは2’’’a’とは、第２スペクトル範囲内の光、例えば、緑色光を出すことが出来る場合を含む。さらに、例えば、第１発光体が青色発光素子とYAG蛍光体とを有し、第３発光体が青色発光素子と赤色蛍光体とを有していてもよい。また、第２発光体が近紫外発光素子と緑色蛍光体とを有し、第４発光体が近紫外発光素子と赤色蛍光体と緑色蛍光体と青色蛍光体とを有していてもよい。このような場合、互いに異なる発光スペクトルの光の混色効果を得ることが可能である。
【００８８】
図１９は、本発明に係る照明装置の第７実施形態に似ているが、第７実施形態とは異なって、照明装置800では、発光体の発光素子が基板上に配置されて蛍光体を含む光透過層によって基板上で封止されている。サイドカバーは発光素子に直接設けられるのではなく、発光素子の周側面の一部を被覆するために光透過層に直接設けられる。照明装置800は、発光素子の２つの側面を被覆する第１サイドカバー11’もしくは第１サイドカバー11’’を有する第１発光体1Aと、第２発光素子20の１つの側面を被覆する第２サイドカバーとを有する第２発光体2Bと、上方向だけでなく放射状にも光を出すよう構成された第３発光体1Cとを有する。本実施形態において、照明装置800の発光エリアの四隅に配置された４つの発光体1A、1A’、1A’’および1A’’がある。また、第１発光体のうちの２個の間（1Aと1A’との間、1A’と1A’’との間、1A’’と1A’’’との間、および1Aと1A’’’との間に、４つの第２発光体2B、2B’、2B’’および2B’’’のそれぞれが配置されている。第３発光体1Cは、第１発光体と第２発光体の位置よりも内側に位置する。したがって、第３発光体1Cは、第１発光体1A、1A’、1A’’および1A’’’と、第２発光体2B、2B’、2B’’および2B’’’に囲まれて、照明装置800の発光エリアの中心近くに位置している。９個の発光体は、白色樹脂から成るサイドカバーによって被覆されないそれぞれの非被覆側面部とそれぞれの上面から光を出すよう構成される。したがって、発光体から上方へ向かう光は混色光として見える。
【００８９】
図２０は、本発明の第１０実施形態に係る照明装置の上面図を示す。照明装置900は、p-nジャンクションを伴う第１発光素子10と第１発光素子10の周側面を部分的に被覆する第１サイドカバー11とを有する第１発光体1と、p-nジャンクションを伴う第２発光素子20と第２発光素子20の周側面を部分的に被覆する第２サイドカバー21とを有する第２発光体2とを、ペア100として有する。第１発光体1と第２発光体2とは互いに異なる発光スペクトルの光を出すよう構成され、第１サイドカバー11と第２サイドカバー21によって被覆されない非被覆側面部にて互いに対向する位置で隣設される。照明装置900は、第１発光体1と第２発光体2の複数のペア100を有し、それらの複数のペアが次から次に列になって回路基板60上に電気的に実装されている。各ペア100の第１発光体1と第２発光体2が縦にもしくは列に沿って互いに対向する。回路基板60は、細長い形状を有するフレキシブル回路基板であってもよい。回路基板60は、第１電極61aと第2電極61bである端子電極のペアを有している。第１電極61aと第２電極61bは、回路基板60の一端に配置されてもよい。また、第１電極61aを回路基板60の第一端に、第２電極61bを回路基板60の第二端に配置することも可能である。発光体の発光素子は端子電極のペアに電気的に接続されるので、端子電極61aと端子電極61bのペアを介して、列に配置された複数の発光体に電流が供給され得る。本実施形態における照明装置900は、線形状を有する照明装置の光源として用いることも可能である。
【００９０】
図２０に示された照明装置900は、上記で説明したように、それぞれが第１発光体1と第２発光体2とを有する複数のペアを有している。第１発光体1は、図５−図１３を参照して先の実施形態で説明された参照番号1’、1’’もしくは1’’’を付した第１発光体であってもよいし、第２発光体2は、図５−１３を参照して先の実施形態で説明された参照番号2’、2’’もしくは2’’’を付した第２発光体であってもよい。
【００９１】
さらに、先にも述べたように、発光体と蛍光体の組み合わせは、本明細書で説明された実施形態に限定されるものではない。
【００９２】
図２１で示すように、第１発光体1と第２発光体2からなる複数のペア100を、次々に並べて列に配置した線状照明装置901を提供することが可能である。本実施形態における各ペアの第１発光体1と第２発光体2は互いに左右にもしくは列を横切るように互いに対向する。複数の第１発光体1と複数の第２発光体2は、一対の端子電極62aと62bに電気的に接続される。
【００９３】
さらに、各グループが４個の発光体を有する複数のグループや、各グループが６個の発光体を有する複数のグループおよび／もしくは各グループがそれ以上の多数個の発光体を有する複数のグループを配置して線状照明装置を提供することも可能である。
【００９４】
図２１で示す照明装置901は、各ペアが第１発光体1と第２発光体2を有する、複数のペア100を含むことを上に説明した。第１発光体１は、図５−図１３を参照する先の実施形態で説明された参照番号1’、1’’もしくは1’’’を付けた第１発光体であっても良く、第２発光体2は、図５−図１３を参照する先の実施形態で説明された参照番号2’、2’’もしくは2’’’を付けた第２の発光体であっても良い。
【００９５】
図２２は、本発明の第１２実施形態に係る照明装置を示す。照明装置902は、一列に配置された第１発光体と第２発光体の複数のペア、例えば、線上照明装置900を有している。
【００９６】
照明装置902は、さらに、複数の発光体を覆う光を通すカバー80と、その光を通すカバー80を支持して一対の端子63aと63bとを含むホルダー64と、を有している。光を通すカバー80はガラスおよび／もしくは樹脂から出来ていても良い。また、一対の端子63aと63bは、回路基板60上に配置された一対の端子電極61aと61bに電気的に接続されている。線状照明装置としての照明装置902は、光を一つ以上の方向に出すために、照明装置902内に、角度をもって配置される一つ以上の照明装置900を有していても良い。発光体の発光素子は回路基板60上に実装され、回路基板60の第１電極61aおよび第２電極61bに電気的に接続される。電流は、外部から、端子63aおよび端子63bを介して回路基板60に配置された第１電極61aおよび第２電極61bに供給される。ホルダー64は発光素子への電流供給を制御することが出来る制御回路を有していても良い。
【００９７】
図２３は本発明の第１３実施形態に係る照明装置を示し、図２４は、光を通すカバー81を取り外した図２３の照明装置の上面図を示す。照明装置1000は、光源として照明装置1001と、その光源1001を支持するホルダー82を有している。光源1001は、基板60のエリア内に配置される第１発光体1と第２発光体2とを含む複数の発光体を有している。第１発光体1は、p-nジャンクションを伴う第１発光素子と、第１発光素子10の周側面を部分的に被覆する第１サイドカバーと、を有する。第２発光体2は、p-nジャンクションを伴う第２発光素子と、第２発光素子20の周側面を部分的に被覆する第２サイドカバーと、を有する。第１発光体1と第２発光体2は、第１サイドカバーと第２サイドカバーによって被覆されない非被覆部において互いに向き合うよう配置される。第１発光体1と第２発光体2の複数のペアを、エリア内で互いに平行に配置される列に並べてもよい。また、図１５もしくは図１８で示すように、各グループが４個の発光体を有する複数のグループを配置することが可能である。さらに、各グループが６個の発光体を有する複数のグループを次々に配置することが可能であり、および／もしくは各グループがさらに多数個の発光体を有する複数のグループを次々に配置することも可能である。発光体が配置されるエリアは円形のエリアであっても良いし、方形のエリアであっても良い。複数の発光体は回路基板70に実装されて、回路基板70に配置された端子電極71aおよび端子電極71bに電気的に接続することが出来る。
【００９８】
照明装置1000は、電流を供給するために発光体の下方に位置する基部を有している。本実施形態において、基部はホルダー82の下に位置し、一対の端子84aと84bとを含む差し込み口金83を有している。ホルダー82は、発光体の発光素子への電流供給を制御することが出来る制御回路を有していても良い。電流は、外部から端子84aと端子84bを介して、基板70に配置された第1電極71aおよび第2電極71bへと供給される。
【００９９】
光を通すカバー81は、半球形状を有していても良い。光を通すカバー81はガラスおよび／もしくは樹脂から出来ていても良い。
【０１００】
さらに、本発明の主題からいくつかの実施形態が構成要素の特定の組み合わせを参照して図示されているが、本発明の主題の教示から離れることなく様々な組み合わせが他にも可能である。したがって、本発明の主題はここに記載されて図示された特定の例示的実施形態に限定されるものとして解釈されるべきではなく、様々な図示された実施形態の構成要素の組み合わせを包含するものでもある。
【０１０１】
本発明の開示を前提として、本発明の主題となる趣旨と範囲から逸脱することなく、当業者によって多くの変更および改変がなされることが可能である。それゆえ、図示された実施形態は例示の目的のためだけに示されたものであって、また添付された特許請求の範囲によって定義される発明の主題を限定するものとして考えられるべきではない、ということが理解されねばならない。添付された特許請求の範囲は、したがって、文字通り記載されている要素の組み合わせだけでなく、実質的に同じ結果を得るために実質的に同じ方法で実質的に同じ機能を奏する、全ての等価要素を含むものとして解釈されるべきである。特許請求の範囲は、それゆえに、具体的に図示して上に説明されたものも、概念的に均等なものも、また、発明の主題の本質的な概念を組み入れるものも、含むと解釈されるべきである。
【図１】
2015022859.tif 000003
【図２】
2015022859.tif 000004
【図３】
2015022859.tif 000005
【図４】
2015022859.tif 000006
【図５】
2015022859.tif 000007
【図６】
2015022859.tif 000008
【図７】
2015022859.tif 000009
【図８】
2015022859.tif 000010
【図９】
2015022859.tif 000011
【図１０】
2015022859.tif 000012
【図１１】
2015022859.tif 000013
【図１２】
2015022859.tif 000014
【図１３】
2015022859.tif 000015
【図１４】
2015022859.tif 000016
【図１５】
2015022859.tif 000017
【図１６】
2015022859.tif 000018
【図１７】
2015022859.tif 000019
【図１８】
2015022859.tif 000020
【図１９】
2015022859.tif 000021
【図２０】
2015022859.tif 000022
【図２１】
2015022859.tif 000023
【図２２】
2015022859.tif 000024
【図２３】
2015022859.tif 000025
【図２４】
2015022859.tif 000026
【外国語明細書】
2015022859000001.pdf
2015022859000002.pdf
2015022859000003.pdf
2015022859000004.pdf